(57)【要約】【課題】折り畳み機構の部品点数を極力削減してコンパクト化することにある。【解決手段】アームプレート１４に、アームプレート１４と一体で回転する係合突部２０を設けるとともに、この係合突部２０を臨むベースプレート１２の一側に、係合突部２０の押圧により回転してロック解除ケーブル１０を牽引する牽引部材（３０，４０）と、牽引部材（３０，４０）と当接可能な当接面５２を有するストッパ部材５０とを設け、シートバック６を前傾させることで、係合突部２０の押圧により牽引部材（３０，４０）を回転させてロック解除ケーブル１０を牽引しつつ、ストッパ部材５０の当接面５２に牽引部材（３０，４０）が当接することでシートバック６を前傾姿勢で保持するとともに、牽引部材（３０，４０）と当接面５２の当接を解除することで、前傾姿勢のシートバック６を大倒し姿勢に変位可能な構成とした。【選択図】図２
2010052529.tif 000002
【特許請求の範囲】
【請求項１】
シートクッションに対してシートバックを前傾させることにより、シートスライド機構のロック解除ケーブルを牽引して車両前後に移動可能となるとともに、前記前傾姿勢のシートバックを、シートクッションに対して前倒しする大倒し姿勢に直接変位可能な車両用シートの折り畳み機構において、
前記シートクッションに固定のベースプレートに対して、前記シートバックに固定のアームプレートを傾倒方向に回転可能に軸支して、
前記アームプレートに、前記アームプレートと一体で回転する係合突部を設けるとともに、前記係合突部を臨む前記ベースプレートの一側に、前記係合突部の押圧により回転して前記ロック解除ケーブルを牽引する牽引部材と、前記牽引部材と当接可能な当接面を有するストッパ部材とを設け、
前記シートバックの前傾に伴い、前記係合突部の押圧により前記牽引部材が回転して前記ロック解除ケーブルを牽引しつつ、前記ストッパ部材の当接面に前記牽引部材が当接することで前記シートバックを前記前傾姿勢で保持するとともに、前記牽引部材と前記当接面の当接を解除することで、前傾姿勢の前記シートバックを大倒し姿勢に変位可能な構成とした車両用シートの折り畳み機構。
【請求項２】
前記牽引部材を、第一牽引部材と第二牽引部材にて構成して、
前記第一牽引部材が、その一端側で前記係合突部に当接して回転するように前記ベースプレートに軸支されており、
前記第二牽引部材が、前記第一牽引部材の他端側に設けた突起部を嵌入可能な孔部を有して、前記第一牽引部材の回転に伴って前記突起部の押圧により連動回転するように前記ベースプレートに軸支されており、
前記係合突部の押圧によって前記第一牽引部材と前記第二牽引部材を連動回転させることにより、前記第二牽引部材に連結の前記ロック解除ケーブルを牽引したのち、前記第一牽引部材の回転軸に対して同心円状に形成した前記孔部の溝部に前記突起部が侵入して、前記第一牽引部材の回転に伴い、前記突起部が前記溝部に沿って移動することにより前記第二牽引部材の回転が規制される構成とした請求項１に記載の車両用シートの折り畳み機構。
【発明の詳細な説明】
【技術分野】
【０００１】
本発明は、車両用シートの折り畳み機構に関する。
【背景技術】
【０００２】
この種の折り畳み機構として、シートクッションに対してシートバックを前傾させることにより、シートスライド機構のロック解除ケーブルを牽引して、車両用シートを車両前後に移動可能とする構成が公知である（特許文献１を参照）。この車両用シートでは、シートクッションに固定のベースプレートに対して、シートバックに固定のアームプレートが傾倒方向に回転可能に軸支されており、これら各プレートの両側に折り畳み機構が配設されている。
すなわちアームプレートの一側には、アームプレートと一体で回転する係合突部が固定されている。またアームプレートの他側には、アームプレートと同軸で回転する円盤状のストッパディスクが固定されており、このストッパディスクの外周面一部に凸部（係合部）が形成されている。
一方、ベースプレートの一側には、係合突部の押圧により回転して、ロック解除ケーブルを牽引する牽引部材が軸支されている。またベースプレートの他側には、ストッパディスク（係合部）に係合してその回転を規制するストッパ部材が設けてある。
【０００３】
そしてシートバックの前傾に伴い、アームプレート一側の係合突部がベースプレート一側の牽引部材に当接して押圧することにより、ロック解除ケーブルが牽引されて車両用シートがスライド移動可能となる。さらにシートバックを前傾姿勢まで傾倒させると、アームプレート他側のストッパディスク（係合部）がベースプレート他側のストッパ部材に係合して、シートバックの傾倒動作が規制される。このように公知技術によれば、シートバックを前傾姿勢で保持したのち、車両用シートを車両前方にスライド移動させることで、乗員が乗降可能な（ウォークイン可能な）通路を形成することができる。
【０００４】
さらに上記折り畳み機構では、ストッパディスクとストッパ部材の係り合いを解除すればシートバックの傾倒が許容されるため、前傾姿勢のシートバックをそのまま前倒しする（大倒し姿勢とする）ことができる。
このため公知技術の車両用シートによれば、前傾姿勢のシートバックを直接大倒し姿勢とすることで、比較的スムーズに車室空間を広げることができる。
【特許文献１】特開２００４−５８９２８号公報
【発明の開示】
【発明が解決しようとする課題】
【０００５】
しかしながら上記公知技術では、折り畳み機構を各プレート両側に分散して配設することから、同機構を連動動作させるための部品点数が増加して、同機構の複雑化及び大型化を招いていた。
本発明は上述の点に鑑みて創案されたものであり、本発明が解決しようとする課題は、折り畳み機構の部品点数を極力削減してコンパクト化することにある。
【課題を解決するための手段】
【０００６】
上記課題を解決するための手段として、第１発明の折り畳み機構は、シートクッションに対してシートバックを前傾させることにより、シートスライド機構のロック解除ケーブルを牽引して、車両用シートを車両前後に移動可能とする構成である。さらにこの車両用シートの折り畳み機構は、前傾姿勢のシートバックを、シートクッションに対して前倒しする大倒し姿勢に直接変位可能な構成である。
そして本発明の車両用シートは、シートクッションに固定のベースプレートに対して、シートバックに固定のアームプレートを傾倒方向に回転可能に軸支して構成されている。そしてこれら各プレートに折り畳み機構を設けるのであるが、そのための構成は、部品点数を極力削減するなどしてコンパクト化されることが望ましい。
【０００７】
そこで本発明の折り畳み機構では、上述のアームプレートに、アームプレートと一体で回転する係合突部を設ける。そしてこの係合突部を臨むベースプレートの一側に、係合突部の押圧により回転してロック解除ケーブルを牽引する牽引部材と、牽引部材と当接可能な当接面を有するストッパ部材とを設けることとした。
そしてシートバックの前傾に伴い、係合突部の押圧により牽引部材が回転してロック解除ケーブルを牽引しつつ、ストッパ部材の当接面に牽引部材が当接することでシートバックを前傾姿勢で保持する。さらに牽引部材と当接面の当接を解除することで、前傾姿勢のシートバックを大倒し姿勢に変位可能な構成とした。
このように本発明では、折り畳み機構を各プレートの片側にまとめて配設するコンパクトな構成により、シートバックを前傾姿勢として、車両用シートをスライド移動可能とすることができる。さらに本発明によれば、コンパクトな折り畳み機構により、前傾姿勢のシートバックを大倒し姿勢に直接変位させることができる。
【０００８】
第２発明の車両用シートの折り畳み機構は、第１発明に記載の折り畳み機構であって、上述の牽引部材を、第一牽引部材と第二牽引部材にて構成する。
そして第一牽引部材は、その一端側で係合突部に当接して回転するようにベースプレートに軸支されている。また第二牽引部材は、第一牽引部材の他端に設けた突起部を嵌入可能な孔部を有して、第一牽引部材の回転に伴って突起部の押圧により連動回転するようにベースプレートに軸支されている。
そして係合突部の押圧によって第一牽引部材と第二牽引部材を連動回転させることにより、第二牽引部材に連結のロック解除ケーブルを牽引したのち、第一牽引部材の回転軸に対して同心円状に形成した孔部の溝部に突起部が侵入する。そして第一牽引部材の回転に伴い、突起部が溝部に沿って移動することにより第二牽引部材の回転が規制される構成とした。このように本発明では、第一牽引部材と第二牽引部材を連動回転させるシンプルな構成において、第二牽引部材の回転量を規制することにより、ロック解除ケーブルの牽引ストロークをほぼ一定とすることができる。
【発明の効果】
【０００９】
本発明の第１発明によれば、折り畳み機構の部品点数を極力削減してコンパクト化することができる。また第２発明によれば、ロック解除ケーブルなどに無理な負荷をかけることなく、シートバックを傾倒させることができる。
【発明を実施するための最良の形態】
【００１０】
以下、本発明を実施するための最良の形態を、図１〜図７を参照して説明する。各図には、車両用シート前方に符号Ｆ、車両用シート後方に符号Ｂを適宜付す。そして図２の状態を基準として、各部材の向き（上下方向、前後方向）と、各部材の回転方向（時計周り、反時計周り）を定めるものとする。
【００１１】
［車両用シート］
本実施例の車両用シート２は、図１を参照して、シートクッション４と、このシートクッション４に対して起倒可能に連結のシートバック６と、レール部材（アッパーレール８ａ、ロアレール８ｂ）を備える。シートクッション４下部に固定のアッパーレール８ａは、車室床面に固定のロアレール８ｂに対して摺動可能に取り付けてある。
そしてレール部材には、シートスライド機構（図示省略）が内蔵されており、同機構から延びるロック解除ケーブル１０が、シートクッション４下部からシート内部に導入されている。
【００１２】
そして本実施例では、シートクッション４に対してシートバック６を前傾させる（前傾姿勢とする）ことにより、シートスライド機構のロック解除ケーブル１０が牽引される。そして車両用シート２が、車室床面のロアレール８ｂに沿って車両前後にスライド移動可能となる構成である（図１（ａ）の一点破線状態）。
また車両用シート２は、前傾姿勢のシートバック６を、シートクッション４に前倒しした状態（大倒し姿勢）に直接変位可能な構成である（図１（ｂ）の二点破線状態）。
【００１３】
この車両用シート２は、図２を参照して、シートクッション４側面に固定のベースプレート１２（縦長の平板部材）に対して、シートバック６側面に固定のアームプレート１４（縦長の平板部材）を傾倒方向に回転可能に軸支して構成されている。
本実施例では、ベースプレート１２上端部に設けた挿通孔１６に対して、アームプレート１４下端部に設けた回転軸（リクライニング軸Ｒ）を回転可能に挿通する（図３及び図５を参照）。そしてベースプレート１２の裏面側（一側）とアームプレート１４の表面側を、両プレート間に所定の隙間をあけて対面状に配置する。
【００１４】
そしてリクライニング軸Ｒには、シートクッション４に対してシートバック６を傾動するためのリクライニング機構（図示省略）が配設されている。このリクライニング軸Ｒには、シート前方に延びる第一レバー部材１９が嵌装されている。そして第一レバー部材１９をシート上方に引き上げてリクライニング機構のロックを解除することにより、シートバック６が前傾可能となる。
そして上記各プレートに折り畳み機構（詳細構成は後述）を設けるのであるが、そのための機構は、部品点数を極力削減するなどしてコンパクト化されることが望ましい。そこで本実施例では、後述するように、折り畳み機構の部品点数を極力削減して同機構をコンパクト化することとした。
【００１５】
［折り畳み機構］
本実施例の折り畳み機構は、図２を参照して、アームプレート１４に配設の係合突部２０と、ベースプレート１２に配設の牽引部材（第一牽引部材３０、第二牽引部材４０）と、同じくベースプレート１２に配設のストッパ部材５０を有する。
そして本実施例では、後述するようにベースプレート１２とアームプレート１４の間（各プレートの片側）に折り畳み機構をまとめて配設することで、同機構のコンパクト化を図ることとした。以下、各構成について詳述する。
【００１６】
（係合突部）
本実施例の係合突部２０は、アームプレート１４の表面側において、上述のリクライニング軸Ｒの周面に固定された円弧状の部材である。この係合突部２０は、リクライニング軸Ｒの径方向外方に突出する凸部２２（略台形）を有する。
そしてシートバック６の起立時に凸部２２がシート前方を向く配置として、リクライニング軸Ｒに係合突部２０を固定する。この係合突部２０を、シートバック６の前傾動作によりアームプレート１４と一体で図２の反時計周りに回転させる。そうすると係合突部２０の凸部２２が、シート下方に配置する後述の牽引部材に当接して押圧することとなる（図４を参照）。
【００１７】
（牽引部材）
そして本実施例の牽引部材は二分割化されており、図２及び図３を参照して、シート上方に配置の第一牽引部材３０と、シート下方に配置の第二牽引部材４０を有する（各部材の詳細は後述する）。
そしてこれら第一牽引部材３０と第二牽引部材４０を、ベースプレート１２裏面側（係合突部を臨むベースプレートの一側）に軸支する。本実施例では、ベースプレート１２に縦断面クランク状のブラケット１８を取り付ける。そして後述するように、シート上方に延びるブラケット１８の第一フランジ部１８ａに対して第一牽引部材３０を軸支する。またシート下方に延びるブラケット１８の第二フランジ部１８ｂに対して第二牽引部材４０を軸支する。
【００１８】
（第一牽引部材）
本実施例の第一牽引部材３０は、正面視略Ｖ字状の平板部材である。この第一牽引部材３０は、縦断面略クランク状をなしており、その一端側（上端側）が一段高くされている（図３（ａ）を参照）。そして第一牽引部材３０の一端側裏面（係合突部を臨む面）には長尺筒状の突出ピン３２が突設しており、他端側裏面には、短尺筒状の突起部３４が突設している。
そして図２を参照して、この第一牽引部材３０の一端側を係合突部２０（凸部２２）の回転軌跡内に配置しつつ、第一牽引部材３０の中央部分を、ブラケット１８（第一フランジ部１８ａ）に固定の第一回転軸３６で回転可能に軸支する。そして第一牽引部材３０に取り付けたコイルばね３８を、ベースプレート１２に固定の係止片１３に取り付けることで、第一牽引部材３０を図２の反時計周りに付勢する。
【００１９】
（第二牽引部材）
また本実施例の第二牽引部材４０は、正面視略矩形の平板部材である。この第二牽引部材４０の一端側（上端側）には、第一牽引部材３０の突起部３４を嵌入可能な孔部４２が設けてある。この孔部４２は、正面視略Ｙ字状をなしており、シート前方の第一溝部４４ａと、シート後方の第二溝部４４ｂ（他の溝部）と、これら両溝部の基端側に形成の嵌入溝部４４ｃを有する（各溝部の詳細は後述する）。
また第二牽引部材４０の一端は内折状とされており、この一端側に、ロック解除ケーブル１０が掛け止めてある（図３（ｂ）を参照）。
そしてこの第二牽引部材４０の嵌入溝部４４ｃに第一牽引部材３０の突起部３４を嵌入しつつ、第二牽引部材４０の他端側を、ブラケット１８（第二フランジ部１８ｂ）に固定の第二回転軸４６で回転可能に軸支する。そして第二回転軸４６に渦巻きバネ４８を嵌装することで、第二牽引部材４０を図２の時計回りに付勢して同図のニュートラル位置に保持する。そして後述するように、第二牽引部材４０が反時計回りに回転することで（傾倒位置に変位することで）、第二牽引部材４０に掛け止めたロック解除ケーブル１０がシート前方に牽引されることとなる（図４を参照）。
【００２０】
（溝部）
そして上述の第一溝部４４ａと第二溝部４４ｂ（他の溝部）はいずれも円弧形状をなしており、正面視略Ｖ字形状をなして嵌入溝部４４ｃから二股に分かれている。
この第一溝部４４ａは、シートバック６が前傾姿勢とされたとき（第二牽引部材４０が傾倒位置にあるとき）、第一牽引部材３０の第一回転軸３６に対して同心円状となる（図４を参照）。この第一溝部４４ａと嵌入溝部４４ｃの連接部分は若干孔部４２内に突出している（第一クランク面４５ａが形成されている）。そして第一牽引部材３０が傾倒位置にあるとき、この第一クランク面４５ａを突起部３４が乗り越えて、嵌入溝部４４ｃから第一溝部４４ａに突起部３４が侵入可能となる構成である。
【００２１】
また第二溝部４４ｂは、第二牽引部材４０がニュートラル位置にあるとき、第一牽引部材３０の第一回転軸３６に対して同心円状となる（図２を参照）。この第二溝部４４ｂと嵌入溝部４４ｃの連接部分は若干孔部４２内に突出している（第二クランク面４５ｂが形成されている）。そして第二牽引部材４０がニュートラル位置にあるとき、この第二クランク面４５ｂを突起部３４が乗り越えて、嵌入溝部４４ｃから第二溝部４４ｂに突起部３４が侵入可能となる構成である。
【００２２】
（ストッパ部材）
本実施例のストッパ部材５０は正面視略矩形の平板部材である。そしてストッパ部材５０の一端側（前端側）には、図２を参照して、第一牽引部材３０と当接可能な前面（当接面５２）と、この当接面５２に連なる上部面５４が設けてある。
そしてストッパ部材５０を、上述の第一牽引部材３０よりもシート後方に配置して、ベースプレート１２裏面側（一側）で軸支する（図５を参照）。本実施例では、ベースプレート１２の貫通孔１５に第三回転軸５６（長尺筒状）を嵌装したのち、ベースプレート１２裏面側からストッパ部材５０を取り付ける。
そしてストッパ部材５０の当接面５２を突出ピン３２の回転軌跡内に配置するとともに、ストッパ部材５０の他端側を回転軌跡よりもシート下方に配置して、ストッパ部材５０の他端側を第三回転軸５６に対して回転可能に軸支する。このようにストッパ部材５０を下方傾斜状に配設したのち、第三回転軸５６に渦巻きバネ５８を嵌装して、ストッパ部材５０を図２の時計回りに付勢する。
【００２３】
さらに第三回転軸５６に対して、ベースプレート１２の表面側から第二レバー部材５９を嵌装する。そしてシート前方に延びる第二レバー部材５９をシート下方に引き下げることで、ストッパ部材５０一端側が、図２の反時計回りに（突出ピン３２の回転軌跡から外れる方向に）回転する構成とする。
そして第二レバー部材５９を操作してストッパ部材５０が反時計回りに回転すると、第一牽引部材３０（突出ピン３２）がストッパ部材５０の上部面５４に乗り上がり、当接面５２との当接が解除されることとなる（図６を参照）。
【００２４】
［折り畳み動作］
図２及び図４を参照して、第一レバー部材１９を操作して、リクライニング機構のロックを解除したのちシートバック６を前傾させる。そうするとアームプレート１４の係合突部２０がリクライニング軸Ｒを中心に反時計周りに回転して、係合突部２０の凸部２２が、シート下方の第一牽引部材３０（突出ピン３２）に当接して押圧する。この係合突部２０の押圧により、第一牽引部材３０が第一回転軸３６を中心に時計回りに回転する。そして第一牽引部材３０他端の突起部３４が第二牽引部材４０（嵌入溝部４４ｃ壁面）を押圧して、第二牽引部材４０が第二回転軸４６を中心に反時計周りに回転する。
この第一牽引部材３０と第二牽引部材４０の連動回転により、第二牽引部材４０のロック解除ケーブル１０が牽引されて、シートスライド機構のロックが解除される。
【００２５】
そして第二牽引部材４０が傾倒位置に達すると、第一牽引部材３０の突起部３４が、孔部４２の第一クランク面４５ａを乗り越えて嵌入溝部４４ｃから第一溝部４４ａに侵入する。そして第一牽引部材３０の回転に伴い、第一溝部４４ａに沿って突起部３４が移動することにより、（第一牽引部材３０の回転にかかわらず）第二牽引部材４０の回転が規制されて傾倒位置で保持される。
そして第一牽引部材３０（突出ピン３２）がストッパ部材５０の当接面５２に当接することにより、係合突部２０の回転が規制されてシートバック６が前傾姿勢で保持される。このように本実施例では、シートバック６を前傾姿勢で保持したのち、車両用シート２を車両前方にスライド移動させることで、乗員が乗降可能な（ウォークイン可能な）通路を形成することができる（図１を参照）。
【００２６】
さらに本実施例では、図６を参照して、第二レバー部材５９の操作によりストッパ部材５０が反時計回りに回転すると、第一牽引部材３０（突出ピン３２）がストッパ部材５０の上部面５４に乗り上がり、当接面５２との当接が解除される。こうすることで第一牽引部材３０の回転を許容して、係合突部２０を回転させることにより前傾姿勢のシートバック６を大倒し姿勢に直接変位させることができる。なおこのとき第一牽引部材３０が回転しても、第一牽引部材３０の突起部３４が、第二牽引部材４０の第一溝部４４ａに沿って移動することにより、第二牽引部材４０が傾倒位置で保持される。
そして係合突部２０が、ストッパ部材５０よりもシート後方に移動することにより、シートバック６が大倒し姿勢となる。そして係合突部２０との当接が解除された第一牽引部材３０と第二牽引部材４０は、各々の付勢力によりニュートラルの状態に復帰する。このように本実施例の車両用シート２によれば、前傾姿勢のシートバック６を直接大倒し姿勢とすることで、比較的スムーズに車室空間を広げることができる（図１を参照）。
【００２７】
［引き起こし動作］
そして図７を参照して、第一レバー部材１９を操作して、大倒し姿勢のシートバック６を前傾又は起立させる。そうすると時計回りに回転する係合突部２０が、ストッパ部材５０の上部面５４（下方傾斜状）を通り、ストッパ部材５０の一端側を回転軌跡外に押し下げつつシート前側に移動する。そして係合突部２０が、シート後方から第一牽引部材３０に当接して反時計回りに逆回転させるのであるが、このとき第一牽引部材３０の突起部３４は、第二牽引部材４０（ニュートラル位置）の第二溝部４４ｂに侵入して移動する。このため本実施例では、第一牽引部材３０の逆回転にかかわらず、第二牽引部材４０がニュートラル位置に保持されることとなる。
このため本実施例では、大倒し姿勢のシートバック６を前傾又は起立させる場合においても、第二牽引部材４０の回転を規制することにより、ロック解除ケーブル１０に無理な負荷がかかることを防止又は低減することができる。
【００２８】
このように本実施例では、折り畳み機構を各プレートの片側にまとめて配設するコンパクトな構成により、シートバック６を前傾姿勢として、車両用シート２をスライド移動可能とする。このため本実施例によれば、折り畳み機構のコンパクト化により、車両用シート２の重量低減が図られる。また折り畳み機構は、部品点数が削減されてシンプル化されていることから、その製造コスト低減を図ることができる。
また本実施例によれば、第一牽引部材３０と第二牽引部材４０を連動回転するシンプルな構成において、第二牽引部材４０の回転量を規制することにより、ロック解除ケーブル１０の牽引ストロークをほぼ一定とすることができる。従って本実施例の折り畳み機構によれば、同ケーブル１０に無理な負荷がかかることを防止又は低減することができる。
そして本実施例では、シートバック６の後傾時（起こし上げ時）においても、第二溝部４４ｂに沿って突起部３４が移動することで、第二牽引部材４０の回転を規制する構成である。このため本実施例によれば、ロック解除ケーブル１０に無理な負荷を極力かけることなく、シートバック６を後傾（起立）させることができる。
【００２９】
本実施形態の車両用シートの折り畳み機構は、上述した実施例に限定されるものではなく、その他各種の実施形態を取り得る。
（１）本実施例では、ベースプレート１４裏面側に牽引部材（３０，４０）及びストッパ部材５０を配設した。これら部材は、係合突部２０の配設位置に応じてベースプレート１４裏面側又は表面側のいずれか一方（片側）に配設されておればよい。
（２）また本実施例では、牽引部材を二分割化する構成（ロック解除ケーブル１０の負担を低減する構成）を説明したが、牽引部材の構成を限定する趣旨ではない。すなわちスライド機構等に極度の負担がかからない限り、牽引部材を一つの部材で構成してもよい。例えば第一牽引部材３０の他端側にロック解除ケーブル１０を連結する構成（第二牽引部材４０を省略するシンプルな構成）としてもよい。
【００３０】
（３）また本実施例では、円弧状の係合突部２０、略Ｖ字状の第一牽引部材３０、矩形状の第二牽引部材４０及び矩形状のストッパ部材５０を例示したが、これら各部材の形状を限定する趣旨ではない。すなわちこれら各部材は、各々の機能に応じて、他の部材と当接可能又は他の部材を押圧可能であればいかなる形状であってもよい。
また本実施例では、第一牽引部材３０に対して筒状の突出ピン３２と筒状の突起部３４を設けるとともに、係合突部２０に対して略台形状の凸部２２を設けたが、これら各部の形状を限定する趣旨ではない。すなわちこれら各部は、各々の機能に応じて、他の部材と当接可能又は他の部材を押圧可能であればいかなる形状であってもよい。
【００３１】
（４）また本実施例では、第一牽引部材３０の付勢にコイルばねを用いるとともに、第二牽引部材４０やストッパ部材５０の付勢に渦巻きバネを用いる構成を説明した。これら各部材の付勢には、コイルばねや渦巻きバネなどのばね部材や、ゴム部材などの伸縮可能な他の付勢部材を適宜選択して用いることができる。
（５）また本実施例では、第二牽引部材４０（孔部４２）に対して第一溝部４４ａと第二溝部４４ｂを設ける構成を説明した。第二牽引部材４０は、第一溝部４４ａと第二溝部４４ｂのいずれか一方を有していることが好ましく、更に好ましくは第一溝部４４ａを有する。なおシートバック６の引き起こし時において、ロック解除ケーブル１０に極度の負担がかからない場合には孔部４２から第二溝部４４ｂを省略することができる。
【００３２】
（６）また本実施例では、シートバック６が前傾姿勢とされたとき（第二牽引部材４０が傾倒位置とされたとき）、第一溝部４４ａが、第一回転軸３６に対して同心円状となる例を説明した。この第一溝部４４ａは、シートバック６が起立姿勢から前傾姿勢に至るまでの任意の姿勢のときに、第一回転軸３６に対して同心円状となる構成であればよい。
（７）また本実施例の車両用シートは、車両一列目に配置されていてもよく、二列目以降に配置されていてもよい。また本実施例では専ら一人乗り用の車両用シートを例示したが、二人乗り用等の車両用シートにも本実施例の折り畳み機構を適用することができる。
【図面の簡単な説明】
【００３３】
【図１】（ａ）は、起立姿勢における車両用シートの側面図であり、（ｂ）は、前傾姿勢における車両用シートの側面図である。
【図２】起立姿勢における各プレートのシート内方側の側面図である。
【図３】（ａ）は、図２のＩＩＩａ−ＩＩＩａ線縦断面図であり、（ｂ）は、図２のＩＩＩｂ−ＩＩＩｂ線横断面図である。
【図４】前傾姿勢における各プレートのシート内方側の側面図である。
【図５】図４のＶ−Ｖ線横断面図である。
【図６】（ａ）〜（ｃ）は、前傾姿勢から大倒し姿勢に移行する過程を示す各プレートのシート内方側の側面図である。
【図７】（ａ）及び（ｂ）は、大倒し姿勢から前傾姿勢に移行する過程を示す各プレートのシート内方側の側面図である。
【符号の説明】
【００３４】
２     車両用シート
４     シートクッション
６     シートバック
８ａ   アッパーレール
８ｂ   ロアレール
１０   ロック解除ケーブル
１２   ベースプレート
１３   係止片
１４   アームプレート
１５   貫通孔
１６   挿通孔
１８   ブラケット
１８ａ 第一フランジ部
１８ｂ 第二フランジ部
１９   第一レバー部材
２０   係合突部
２２   凸部
３０   第一牽引部材
３２   突出ピン
３４   突起部
３６   第一回転軸
４０   第二牽引部材
４２   孔部
４４ａ 第一溝部
４４ｂ 第二溝部
４４ｃ 嵌入溝部
４５ａ 第一クランク面
４５ｂ 第二クランク面
４６   第二回転軸
５０   ストッパ部材
５２   当接面
５４   上部面
５６   第三回転軸
５９   第二レバー部材
Ｒ     リクライニング軸
【図１】
2010052529.tif 000003
【図２】
2010052529.tif 000004
【図３】
2010052529.tif 000005
【図４】
2010052529.tif 000006
【図５】
2010052529.tif 000007
【図６】
2010052529.tif 000008
【図７】
2010052529.tif 000009